(57)【要約】      （修正有）【課題】利用者が乗りかごに乗ってから行先階へ到着するまでの時間を短縮できるエレベータシステムを提供する。【解決手段】エレベータシステム１０は、複数の登録装置１８と、複数の制御装置２２とを備える。登録装置１８は、複数の乗りかご３０が設けられた建物の各階の乗場に設けられ、前記乗りかご３０の行先階を利用者から受け付けて登録する。制御装置２２は、前記行先階を受け付けた階である呼び階に前記乗りかご３０が到着する到着時間、及び、前記乗りかご３０が最上階から最下階までの往復に要する時間と前記複数の乗りかご３０の個数とによって設定される基準時間に基づいて、前記乗りかご３０が同じ時間間隔で前記各階の前記乗場に停止するように、前記複数の乗りかご３０のうち、前記呼び階に停止させる前記乗りかご３０を選択して停止させる。【選択図】図１
2018203447.tif 000002
【特許請求の範囲】
【請求項１】
複数の乗りかごが設けられた建物の各階の乗場に設けられ、前記乗りかごの行先階を利用者から受け付けて登録する複数の登録装置と、
前記行先階を受け付けた階である呼び階に前記乗りかごが到着する到着時間、及び、前記乗りかごが最上階から最下階までの往復に要する時間と前記複数の乗りかごの個数とによって設定される基準時間に基づいて、前記乗りかごが同じ時間間隔で前記各階の前記乗場に停止するように、前記複数の乗りかごのうち、前記呼び階に停止させる前記乗りかごを選択して停止させる制御装置と、
を備えるエレベータシステム。
【請求項２】
前記各階の前記乗場に設けられ画像を表示する乗場表示装置を、更に備え、
前記制御装置は、前記呼び階の前記乗場表示装置に前記到着時間を表示させる、
請求項１に記載のエレベータシステム。
【請求項３】
前記制御装置は、前記複数の登録装置から受け付けた複数の前記行先階の個数が予め設定された閾値より大きい場合、前記到着時間を再計算して前記乗場表示装置に表示させる、
請求項２に記載のエレベータシステム。
【請求項４】
前記制御装置は、再計算した前記到着時間を前記利用者の端末に送信する、
請求項３に記載のエレベータシステム。
【請求項５】
前記制御装置は、前記利用者の前記端末から前記行先階の変更を受け付けると、前記到着時間を再計算して前記乗場表示装置に表示させる、
請求項４に記載のエレベータシステム。
【請求項６】
前記制御装置は、前記利用者の前記端末に、前記各階の前記乗場の前記乗りかごのそれぞれの前記到着時間の一覧情報を送信する、
請求項４または５に記載のエレベータシステム。
【発明の詳細な説明】
【技術分野】
【０００１】
実施形態は、エレベータシステムに関する。
【背景技術】
【０００２】
複数のエレベータを管理する群管理のエレベータシステムが開示されている。このようなエレベータシステムは、例えば、利用者に呼ばれた階に乗りかごを停止させ、乗りかごに乗った利用者から行先階の登録を受け付ける。エレベータシステムは、利用者から受け付けた行先階へと乗りかごを移動させる。
【先行技術文献】
【特許文献】
【０００３】
【特許文献１】特開２０１６−１５９９９２号公報
【発明の概要】
【発明が解決しようとする課題】
【０００４】
しかしながら、上述のエレベータシステムでは、利用者が乗りかごに乗った後も、他の利用者が乗りかごで行先階を選択するまで、乗りかごがいずれの階に停止するか認識できないので、利用者が乗りかごに乗ってから行先階へ到着するまでの時間が長くなる場合が多いといった課題がある。
【課題を解決するための手段】
【０００５】
上述した課題を解決し、目的を達成するために、実施形態のエレベータシステムは、複数の登録装置と、制御装置とを備える。複数の登録装置は、複数の乗りかごが設けられた建物の各階の乗場に設けられ、前記乗りかごの行先階を利用者から受け付けて登録する。制御装置は、前記行先階を受け付けた階である呼び階に前記乗りかごが到着する到着時間、及び、前記乗りかごが最上階から最下階までの往復に要する時間と前記複数の乗りかごの個数とによって設定される基準時間に基づいて、前記乗りかごが同じ時間間隔で前記各階の前記乗場に停止するように、前記複数の乗りかごのうち、前記呼び階に停止させる前記乗りかごを選択して停止させる。
【図面の簡単な説明】
【０００６】
【図１】図１は、第１実施形態のエレベータシステムの概略構成を示す図である。
【図２】図２は、制御装置の機能を示すブロック図である。
【図３】図３は、制御装置が実行する第１実施形態のエレベータ制御処理のフローチャートである。
【図４】図４は、制御装置が実行する第２実施形態のエレベータ制御処理のフローチャートである。
【発明を実施するための形態】
【０００７】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００８】
＜第１実施形態＞
図１は、第１実施形態のエレベータシステム１０の概略構成を示す図である。エレベータシステム１０は、建物内に設置された複数（例えば、４基）のエレベータ１２ａ、１２ｂ、１２ｃ、１２ｄの各乗りかご３０を同じ時間間隔で各階に停止させるように制御する。図１に示すように、エレベータシステム１０は、複数のエレベータ１２ａ、１２ｂ、１２ｃ、１２ｄを含むエレベータ群１４と、複数の識別標識１６と、複数の登録装置１８と、複数の乗場表示装置２０と、制御装置２２とを備える。エレベータ１２ａ、１２ｂ、１２ｃ、１２ｄを区別する必要がない場合、エレベータ１２と記載する。
【０００９】
各エレベータ１２は、乗りかご３０と、カウントウェイト３２と、メインロープ３４と、巻上機３６と、かご内表示装置３８とを有する。
【００１０】
乗りかご３０は、昇降可能に昇降路に設置されている。乗りかご３０は、中空形状であって利用者を乗せる。
【００１１】
巻上機３６は、メインシーブ４０と、電動機４２とを有する。電動機４２は、例えば、電動モータであって、メインシーブ４０を回転させる。
【００１２】
メインロープ３４の一端は、乗りかご３０に連結されている。メインロープ３４の他端は、カウントウェイト３２に連結されている。メインロープ３４は、メインシーブ４０にかけられている。
【００１３】
かご内表示装置３８は、例えば、文字及び図形等の画像を表示する表示装置である。かご内表示装置３８は、乗りかご３０の扉の脇の上部に設置されている。かご内表示装置３８は、情報を送受信可能に電気的に制御装置２２と接続されている。かご内表示装置３８は、制御装置２２からの情報に基づいて、行先階を表示する。
【００１４】
各エレベータ１２では、電動機４２が回転駆動すると、メインシーブ４０が回転する。これにより、メインシーブ４０は、摩擦によりメインロープ３４を巻き上げて、利用者が登録した行先階へと乗りかご３０を昇降させる。
【００１５】
識別標識１６は、エレベータ１２の乗りかご３０を識別するための標識である。識別標識１６は、各階の乗場において各乗りかご３０に対応付けて設置されている扉の上方の壁等に設けられている。識別標識１６は、各階において、それぞれ異なる標識となっている。例えば、識別標識１６は、エレベータ１２ａ、１２ｂ、１２ｃ、１２ｄを識別するための「Ａ」、「Ｂ」、「Ｃ」、「Ｄ」と記載されている。
【００１６】
複数の登録装置１８は、複数の乗りかご３０が設けられた建物の各階の乗場に設けられている。登録装置１８は、制御装置２２と情報を送受信可能に電気的に接続されている。登録装置１８は、テンキー等によって利用者から乗りかご３０の行先階を受け付けて登録する。登録装置１８は、行先階を受け付けると、設置されている階に乗りかご３０を呼んで行先階まで利用者を運ぶために、受け付けた行先階を示す乗場呼び登録を制御装置２２へ送信する。登録装置１８は、制御装置２２から停止する乗りかご３０の情報を取得すると、当該乗りかご３０を示す識別標識１６等を表示する。
【００１７】
乗場表示装置２０は、文字及び図形等の画像を表示する表示装置である。乗場表示装置２０は、各階の乗場に設けられている。乗場表示装置２０は、例えば、各階の乗場の各乗りかご３０に対応付けて設置されていてもよい。乗場表示装置２０は、乗りかご３０が利用者から行先階を受け付けた階（以下、呼び階）に到着する時間（以下、到着時間）、各乗場の利用者の行先階等を表示する。
【００１８】
制御装置２２は、群管理制御装置４４と、複数の単体制御装置４６とを有する。
【００１９】
群管理制御装置４４は、ＣＰＵ（Central  Processing  Unit）等のハードウェアプロセッサと、ＲＯＭ（Read  Only  Memory）、及び、ＲＡＭ（Random  Access  Memory）等の記憶装置を含むコンピュータである。群管理制御装置４４は、単体制御装置４６を介して、エレベータ群１４を群管理して、効率的なエレベータ１２の運行サービスを行う。
【００２０】
単体制御装置４６は、ＣＰＵ（Central  Processing  Unit）等のハードウェアプロセッサと、ＲＯＭ（Read  Only  Memory）、及び、ＲＡＭ（Random  Access  Memory）等の記憶装置を含むコンピュータである。単体制御装置４６は、情報を送受信可能に群管理制御装置４４と電気的に接続されている。複数の単体制御装置４６は、いずれかのエレベータ１２に関連付けられている。各単体制御装置４６は、群管理制御装置４４からの情報に基づいて、関連付けられたエレベータ１２を制御する。例えば、単体制御装置４６は、電動機４２を制御して、乗りかご３０を昇降させる。これにより、単体制御装置４６は、行先階を登録した利用者が待機している階の乗場に乗りかご３０を停止させて利用者を乗せた後、当該利用者とともに乗りかご３０を登録した行先階まで昇降させる。
【００２１】
図２は、制御装置２２の機能を示すブロック図である。図２に示すように、制御装置２２は、選択部５０と、表示制御部５２と、運転制御部５４とを有する。例えば、群管理制御装置４４が、選択部５０及び表示制御部５２を有し、各単体制御装置４６が、運転制御部５４を有していてもよい。群管理制御装置４４または単体制御装置４６のＣＰＵは、例えば、エレベータ制御プログラムを読み込むことによって、選択部５０、表示制御部５２、及び、運転制御部５４の機能を有する。尚、選択部５０、表示制御部５２、及び、運転制御部５４は、ＡＳＩＣ（Application  Specific  Integrated  Circuit）を含む回路等のハードウェアによって構成してもよい。
【００２２】
選択部５０は、乗りかご３０が呼び階に到着する到着時間を計算する。選択部５０は、登録装置１８が既に登録済みの行先階及び呼び階の個数に応じて、到着時間を算出する。選択部５０は、到着時間及び基準時間に基づいて、乗りかご３０が同じ時間間隔で各階の乗場に停止するように、複数の乗りかご３０から、呼び階に停止させる乗りかご３０を選択する。例えば、選択部５０は、予め設定された演算式に基づいて、呼び階に確実に停止させることが可能な乗りかご３０を選択してよい。予め設定された演算式は、例えば、ニューロ・ファジー等の手法を利用した評価演算式であってよい。選択部５０は、演算式に基づいて算出した評価値が最も高い乗りかご３０を、利用者の呼び階に停止させる乗りかご３０として選択してよい。基準時間は、乗りかご３０が昇降する最上階から最下階までの往復に要する時間と複数の乗りかご３０の個数とによって設定される時間のことである。例えば、基準時間は、往復に要する時間を乗りかご３０の個数で割った値である。選択部５０は、予め設定されて記憶装置に格納された基準時間を採用してもよく、予め定められた条件（例えば、一定の周期）を満たした場合に基準時間を計算してもよい。
【００２３】
選択部５０は、乗りかご３０を選択すると、到着時間、呼び階、及び、行先階の情報を含む運転制御情報を生成する。選択部５０は、表示制御部５２及び選択した乗りかご３０を制御する運転制御部５４に運転制御情報または運転制御情報の一部を出力する。また、選択部５０は、無線通信等によって利用者の端末９０と情報を送受信可能に構成してもよい。
【００２４】
表示制御部５２は、乗場表示装置２０の画像表示を制御する。例えば、表示制御部５２は、選択部５０から運転制御情報を取得すると、運転制御情報が示す呼び階の乗場表示装置２０に、運転制御情報が示す到着時間を表示させる。
【００２５】
運転制御部５４は、乗りかご３０の運転を制御する。具体的には、運転制御部５４は、選択部５０から運転制御情報を取得すると、巻上機３６の電動機４２を制御して乗りかご３０を呼び階に停止させる。運転制御部５４は、利用者が乗りかご３０に乗ると、当該乗りかご３０を行先階まで昇降させて停止させる。運転制御部５４は、かご内表示装置３８に運転制御情報が示す行先階等の情報を表示させる。
【００２６】
図３は、制御装置２２が実行する第１実施形態のエレベータ制御処理のフローチャートである。
【００２７】
図３に示すように、エレベータ制御処理において、制御装置２２の選択部５０は、登録装置１８が利用者から行先階を受け付けたか否かを判定する（Ｓ１０２）。ここで、いずれかの階の乗場に設置された登録装置１８は、利用者から行先階の入力を受け付けると、呼び階、及び、行先階の情報を含む呼び登録情報を生成して、選択部５０へ送信する。選択部５０は、当該呼び登録情報を登録装置１８から取得したか否かに基づいて、利用者から行先階を受け付けたか否かを判定してよい。選択部５０は、登録装置１８から呼び登録情報を取得しないかぎり、利用者から行先階を受け付けていないと判定して、待機状態となる（Ｓ１０２：Ｎｏ）。
【００２８】
選択部５０は、登録装置１８から呼び登録情報を取得して、利用者から行先階を受け付けたと判定すると（Ｓ１０２：Ｙｅｓ）、各乗りかご３０が呼び階に達するまでに要する時間である到着時間を計算する（Ｓ１０４）。選択部５０は、計算した到着時間及び基準時間に基づいて、呼び階に停止させる乗りかご３０を選択する（Ｓ１０６）。選択部５０は、乗りかご３０を選択すると、到着時間、呼び階、及び、行先階を含む運転制御情報を生成する（Ｓ１０８）。選択部５０は、表示制御部５２及び選択した乗りかご３０を制御する運転制御部５４に運転制御情報を出力する。
【００２９】
表示制御部５２は、運転制御情報を取得すると、呼び階に設置されている乗場表示装置２０に到着時間及び乗りかご３０の号機名（例えば、「Ａ」）を表示させる（Ｓ１１０）。運転制御部５４は、運転制御情報を取得すると、選択部５０が選択した乗りかご３０の巻上機３６を制御して、乗りかご３０を呼び階に停止させる（Ｓ１１２）。運転制御部５４は、呼び階に停止している乗りかご３０に利用者が乗ると、運転制御情報に基づいて、かご内表示装置３８に行先階を表示させるとともに、当該乗りかご３０の昇降を開始する（Ｓ１１４）。運転制御部５４は、運転制御情報が示す行先階に乗りかご３０を停止させる（Ｓ１１６）。
【００３０】
上述したように、エレベータシステム１０では、登録装置１８が、行先階を乗場で受け付けて、制御装置２２が、呼び階への到着時間及び基準時間に基づいて、呼び階に停止させる乗りかご３０を選択している。これにより、エレベータシステム１０は、乗りかご３０で行先階を登録させるシステムに比べて、呼び階及び行先階の登録の個数等を早く認識することができるので、乗りかご３０を同じ時間間隔で各乗場に停止させるように正確に制御できる。この結果、エレベータシステム１０は、利用者を長時間待たせる等の不都合を低減することができるとともに、利用者が乗りかご３０に乗ってから行先階に到着するまでのサービス時間を短縮できる。特に、エレベータシステム１０は、呼び階までの途中階における多人数乗車による想定外の満員通過及び多くの階でのかご呼び等による行先階に到着する時間の遅延を抑制できる。
【００３１】
エレベータシステム１０では、制御装置２２が、乗場表示装置２０に到着時間を表示させるので、利用者に長待ちという感覚を低減させることができる。
【００３２】
＜第２実施形態＞
第２実施形態の制御装置２２は、第１実施形態と同様に、選択部５０と、表示制御部５２と、運転制御部５４とを有する。
【００３３】
選択部５０は、第１実施形態の選択部５０と同様の構成を有する。更に、第２実施形態の選択部５０は、複数の階に設けられた複数の登録装置１８から受け付けた複数の行先階の個数が予め設定された閾値よりも大きい場合、到着時間を再計算する。受け付けた複数の行先階の個数は、乗りかご３０が呼び階に到着済みの行先階の個数を含まない。具体的には、選択部５０は、行先階及び呼び階に停止する時間等に基づいて、到着時間を再計算する。選択部５０は、再計算した到着時間を含む運転制御情報を表示制御部５２及び運転制御部５４へ出力する。
【００３４】
選択部５０は、再計算した到着時間を含む運転制御情報を利用者の端末９０へ無線通信等によって送信してもよい。これにより、利用者の端末９０は、受信した到着時間等を表示して、利用者に通知することができる。利用者の端末９０は、例えば、スマートフォン及び携帯電話等であってよい。
【００３５】
選択部５０は、利用者の端末９０から行先階の変更を無線通信等によって受け付けてもよい。尚、行先階の変更は、行先階を別の階に変更することのみならず、行先階の削除（即ち、キャンセル）も含む。選択部５０は、行先階の変更を受け付けると、到着時間を再計算してもよい。選択部５０は、行先階の変更によって再計算した到着時間を含む運転制御情報を表示制御部５２及び運転制御部５４へ出力する。
【００３６】
選択部５０は、利用者の端末９０へ、各階の乗場の乗りかご３０のそれぞれの到着時間の一覧情報を送信してもよい。利用者の端末９０は、乗りかご３０に関連付けられた到着時間の一覧をテーブル形式等によって表示することにより、利用者へいずれの乗りかご３０が乗場へ停止するか等の情報を通知することができる。更に、端末９０は、乗りかご３０及び到着時間の一覧を表示している状態で、利用者から乗りかご３０または行先階の選択を受け付けて、当該選択された乗りかご３０または行先階の情報を選択部５０に送信してもよい。選択部５０は、当該選択された乗りかご３０または行先階に基づいて、乗りかご３０の到着時間を計算して、端末９０へ送信してもよい。
【００３７】
表示制御部５２は、運転制御情報を取得すると、呼び階の乗場表示装置２０に到着時間を表示させる。更に、表示制御部５２は、再計算した到着時間を含む運転制御情報を取得すると、当該再計算した到着時間を呼び階の乗場表示装置２０に表示させる。表示制御部５２は、到着時間とともに、停止する乗りかご３０を示す情報を乗場表示装置２０に表示させてもよい。
【００３８】
運転制御部５４は、再計算によって停止させる乗りかご３０が変更された場合、当該変更を示す運転制御情報に基づいて、乗りかご３０を制御する。
【００３９】
図４は、制御装置２２が実行する第２実施形態のエレベータ制御処理のフローチャートである。第１実施形態と同様の第２実施形態の処理は、同じ符号を付与して説明を簡略化する。
【００４０】
図４に示すように、制御装置２２は、ステップＳ１０２からステップＳ１１０の処理を実行する。選択部５０は、生成した運転制御情報を利用者の端末９０へ送信する（Ｓ２０２）。利用者の端末９０は、選択部５０から取得した運転制御情報が示す到着時間及び停止する乗りかご３０の情報等を表示する。
【００４１】
選択部５０は、複数の乗りかご３０の到着時間の一覧を利用者の端末９０に送信する（Ｓ２０４）。利用者の端末９０は、到着時間の一覧を受信すると、到着時間の一覧をテーブル形式等の画像で表示する。
【００４２】
選択部５０は、乗りかご３０が呼び階に停止したか否かを判定する（Ｓ２０６）。選択部５０は、例えば、運転制御部５４から乗りかご３０の位置情報を取得して、乗りかご３０が呼び階に停止したか否かを判定してよい。選択部５０が、呼び階に乗りかご３０が停止したと判定すると（Ｓ２０６：Ｙｅｓ）、運転制御部５４は、当該乗りかご３０を昇降させて行先階に停止させる（Ｓ１１４、Ｓ１１６）。
【００４３】
一方、選択部５０は、呼び階に乗りかご３０がまだ停止していないと判定すると（Ｓ２０６：Ｎｏ）、新たな行先階を受け付けたか否かを判定する（Ｓ２０８）。選択部５０は、例えば、到着時間の一覧を参照して利用者が選択した新たな行先階を受け付けたか否か、他の利用者から新たな行先階を受け付けたか否か、及び、一度行先階を入力した利用者から行先階の変更を受け付けたか否か等に基づいて、当該判定を実行してよい。選択部５０は、新たな行先階を受け付けていないと判定すると（Ｓ２０８：Ｎｏ）、ステップＳ２０６以降を繰り返す。
【００４４】
選択部５０は、新たな行先階を受け付けたと判定すると（Ｓ２０８：Ｙｅｓ）、受け付けた行先階の個数が閾値より大きいか否かを判定する（Ｓ２１０）。選択部５０は、受け付けた行先階の個数が閾値未満と判定すると（Ｓ２１０：Ｎｏ）、ステップＳ２０６以降を繰り返す。
【００４５】
選択部５０は、受け付けた行先階の個数が閾値より大きいと判定すると（Ｓ２１０：Ｙｅｓ）、各乗りかご３０の到着時間を再計算する（Ｓ２１２）。この後、選択部５０は、再計算した各乗りかご３０の到着時間に基づいて、利用者の呼び階に停止させる乗りかご３０を再選択して（Ｓ１０６）、ステップＳ１０８以降を実行する。尚、表示制御部５２は、再計算した到着時間が再計算前の到着時間よりも遅い場合、遅延する旨を乗場表示装置２０に到着時間とともに表示させてもよい。この後、運転制御部５４が、乗りかご３０を行先階に停止させた後（Ｓ１１６）、ステップＳ１０２以降を繰り返す。
【００４６】
上述したように第２実施形態のエレベータシステム１０では、制御装置２２が、受け付けた複数の行先階の個数が予め設定された閾値よりも大きい場合、到着時間を再計算するので、行先階の個数が多い場合でも、乗りかご３０をほぼ同じ時間間隔で乗場に停止させることができる。
【００４７】
第２実施形態のエレベータシステム１０では、制御装置２２が、再計算した到着時間を利用者の端末９０に送信するので、利用者に到着時間を変更したことを知らせることができる。
【００４８】
第２実施形態のエレベータシステム１０では、制御装置２２が、行先階が変更されて、到着時間を再計算すると、当該到着時間を乗場表示装置２０に表示させるので、行先階の変更によって到着時間を変更したことを知らせることができる。
【００４９】
第２実施形態のエレベータシステム１０では、制御装置２２が、乗りかご３０の到着時間の一覧を利用者の端末９０に送信するので、利用者に乗りかご３０の到着時間を知らせることができるとともに、利用者に乗りかご３０を容易に選択させることができる。
【００５０】
上述の各構成の機能、接続関係、個数等は適宜変更してよい。上述のフローチャートのステップの順番は適宜変更してよい。
【００５１】
例えば、エレベータシステム１０は、乗場に設けられたデジタルカメラ等の撮像装置を有してもよい。この場合、選択部５０は、乗場で待機している利用者の人数をカウントして、当該人数から算出した乗り降りに要する時間に基づいて、乗りかご３０の呼び階までの到着時間を算出してもよい。
【００５２】
エレベータシステム１０は、複数の乗りかご３０のうち、いずれかを停止または待機させてもよい。例えば、エレベータシステム１０は、利用者が少ない場合、いずれかの乗りかご３０を停止または待機させてもよい。この場合、選択部５０は、基準時間を駆動中の乗りかご３０の個数に応じて再計算することが好ましい。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…エレベータシステム、１８…登録装置、２０…乗場表示装置、２２…制御装置、３０…乗りかご、９０…端末。
【図１】
2018203447.tif 000003
【図２】
2018203447.tif 000004
【図３】
2018203447.tif 000005
【図４】
2018203447.tif 000006
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
複数の乗りかごが設けられた建物の各階の乗場に設けられ、前記乗りかごの行先階を利用者から受け付けて登録する複数の登録装置と、前記行先階を受け付けた階である呼び階に前記乗りかごが到着する到着時間、及び、前記乗りかごが最上階から最下階までの往復に要する時間と前記複数の乗りかごの個数とによって設定される基準時間に基づいて、前記乗りかごが同じ時間間隔で前記各階の前記乗場に停止するように、前記複数の乗りかごのうち、前記呼び階に停止させる前記乗りかごを選択して停止させる制御装置と、を備え、前記制御装置は、前記複数の登録装置から受け付けた複数の前記行先階の個数が予め設定された閾値より大きい場合、前記到着時間を再計算して前記乗場表示装置に表示させ、前記複数の登録装置から受け付けた複数の前記行先階の個数が予め設定された閾値未満の場合、前記到着時間を前記乗場表示装置に表示させないエレベータシステム。
【請求項２】
前記各階の前記乗場に設けられ画像を表示する乗場表示装置を、更に備え、前記制御装置は、前記呼び階の前記乗場表示装置に前記到着時間を表示させる、請求項１に記載のエレベータシステム。
【請求項３】
前記制御装置は、再計算した前記到着時間を前記利用者の端末に送信する、請求項１に記載のエレベータシステム。
【請求項４】
前記制御装置は、前記利用者の前記端末から前記行先階の変更を受け付けると、前記到着時間を再計算して前記乗場表示装置に表示させる、請求項３に記載のエレベータシステム。
【請求項５】
前記制御装置は、前記利用者の前記端末に、前記各階の前記乗場の前記乗りかごのそれぞれの前記到着時間の一覧情報を送信する、請求項３または４に記載のエレベータシステム。
【手続補正２】
【補正対象書類名】明細書
【補正対象項目名】０００５
【補正方法】変更
【補正の内容】
【０００５】
上述した課題を解決し、目的を達成するために、実施形態のエレベータシステムは、複数の登録装置と、制御装置とを備える。複数の登録装置は、複数の乗りかごが設けられた建物の各階の乗場に設けられ、前記乗りかごの行先階を利用者から受け付けて登録する。制御装置は、前記行先階を受け付けた階である呼び階に前記乗りかごが到着する到着時間、及び、前記乗りかごが最上階から最下階までの往復に要する時間と前記複数の乗りかごの個数とによって設定される基準時間に基づいて、前記乗りかごが同じ時間間隔で前記各階の前記乗場に停止するように、前記複数の乗りかごのうち、前記呼び階に停止させる前記乗りかごを選択して停止させる。前記制御装置は、前記複数の登録装置から受け付けた複数の前記行先階の個数が予め設定された閾値より大きい場合、前記到着時間を再計算して前記乗場表示装置に表示させ、前記複数の登録装置から受け付けた複数の前記行先階の個数が予め設定された閾値未満の場合、前記到着時間を再計算して前記乗場表示装置に表示させない。
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
複数の乗りかごが設けられた建物の各階の乗場に設けられ、前記乗りかごの行先階を利用者から受け付けて登録する複数の登録装置と、前記行先階を受け付けた階である呼び階に前記乗りかごが到着する到着時間、及び、前記乗りかごが最上階から最下階までの往復に要する時間と前記複数の乗りかごの個数とによって設定される基準時間に基づいて、前記乗りかごが同じ時間間隔で前記各階の前記乗場に停止するように、前記複数の乗りかごのうち、前記呼び階に停止させる前記乗りかごを選択して停止させる制御装置と、前記各階の前記乗場に設けられ画像を表示する乗場表示装置と、を備え、前記制御装置は、前記乗りかごが前記呼び階に停止したか否かを判定し、前記乗りかごが前記呼び階にまだ停止しておらず、且つ、前記複数の登録装置から受け付けた複数の前記行先階の個数が予め設定された閾値より大きい場合、前記到着時間を再計算して前記呼び階の前記乗場表示装置に表示させ、再計算した前記到着時間を前記利用者の端末に送信し、前記乗りかごが前記呼び階にまだ停止しておらず、且つ、前記複数の登録装置から受け付けた複数の前記行先階の個数が予め設定された閾値未満の場合、前記到着時間の再計算を行わず、前記乗りかごが前記呼び階に停止したか否かを判定する、エレベータシステム。
【請求項２】
前記制御装置は、前記利用者の前記端末から前記行先階の変更を受け付けると、前記到着時間を再計算して前記乗場表示装置に表示させる、請求項１に記載のエレベータシステム。
【請求項３】
前記制御装置は、前記利用者の前記端末に、前記各階の前記乗場の前記乗りかごのそれぞれの前記到着時間の一覧情報を送信する、請求項２に記載のエレベータシステム。
【手続補正２】
【補正対象書類名】明細書
【補正対象項目名】０００５
【補正方法】変更
【補正の内容】
【０００５】
上述した課題を解決し、目的を達成するために、実施形態のエレベータシステムは、複数の登録装置と、制御装置とを備える。複数の登録装置は、複数の乗りかごが設けられた建物の各階の乗場に設けられ、前記乗りかごの行先階を利用者から受け付けて登録する。制御装置は、前記行先階を受け付けた階である呼び階に前記乗りかごが到着する到着時間、及び、前記乗りかごが最上階から最下階までの往復に要する時間と前記複数の乗りかごの個数とによって設定される基準時間に基づいて、前記乗りかごが同じ時間間隔で前記各階の前記乗場に停止するように、前記複数の乗りかごのうち、前記呼び階に停止させる前記乗りかごを選択して停止させる。前記制御装置は、前記各階の前記乗場に設けられ画像を表示する乗場表示装置と、を備える。前記制御装置は、前記乗りかごが前記呼び階に停止したか否かを判定し、前記乗りかごが前記呼び階にまだ停止しておらず、且つ、前記複数の登録装置から受け付けた複数の前記行先階の個数が予め設定された閾値より大きい場合、前記到着時間を再計算して前記呼び階の前記乗場表示装置に表示させ、再計算した前記到着時間を前記利用者の端末に送信し、前記乗りかごが前記呼び階にまだ停止しておらず、且つ、前記複数の登録装置から受け付けた複数の前記行先階の個数が予め設定された閾値未満の場合、前記到着時間の再計算を行わず、前記乗りかごが前記呼び階に停止したか否かを判定する。